(57)【特許請求の範囲】
【請求項１】
エレベータかご内部に配置され、かご内部の所定臭い成分が所定値以上に成ったことを検出する臭い検出センサと、
前記かご内の所定臭い成分を消臭する消臭剤を放出する消臭手段と、
前記臭い検出センサの臭い検出信号が入力され、かつエレベータ乗場呼出信号が入力された場合に、呼び出された目標階に到着するまでに消臭処理が完了するように、かごが現在位置から前記目標階までに要する移動時間に基づいて消臭剤の放出量を制御しながら前記消臭手段を動作させる制御手段と、
を含むことを特徴とする消臭機能付きエレベータ装置。
【請求項２】
請求項１記載の装置において、
前記消臭手段は、かご内部に消臭剤を拡散させる拡散手段を有することを特徴とする消臭機能付きエレベータ装置。
【請求項３】
請求項１または請求項２に記載の装置において、
前記消臭手段は、所定臭い成分の濃度に基づいて消臭剤放出量を変化させる調整手段を有することを特徴とする消臭機能付きエレベータ装置。
【請求項４】
請求項１から請求項３のいずれかに記載の装置において、
前記消臭手段は、さらに、芳香手段を含み、消臭後、かご内に芳香剤を放出することを特徴とする消臭機能付きエレベータ装置。
【発明の詳細な説明】
【０００１】
【発明の属する技術分野】
この発明は、消臭機能付きエレベータ装置、特に、エレベータ利用者の乗り込み前に確実にエレベータかご内の消臭を完了することのできる消臭機能付きエレベータ装置に関する。
【０００２】
【従来の技術】
不特定多数の利用者が乗り込むエレベータのかごには、様々な残り香がある。特に、かごは、利用者の乗り降り時以外は、ドアを閉めた密閉状態になっているので、前回利用者の残り香、例えば、体臭、排泄臭、アルコール臭、化粧品の臭い等、第三者が不快感を感じる臭い（悪臭）、またこれらの混合臭等がかご内に充満することがあり、新たに乗り込んできた利用者に不快感を与えてしまう場合が多い。
【０００３】
このような、残り香を消す機能を備えたエレベータかごが、例えば、特開平５−３１９７３７号公報に開示されている。このエレベータかごは図４に示すように、かご１００の天井面等に配置された芳香装置１０２が、屋上等に設置された制御盤１０４に備えられたタイムスイッチ１０６により定期的に動作し、かご内に消臭剤及び芳香剤が噴射され、かご内の消臭及び芳香を行うものである。
【０００４】
【発明が解決しようとする課題】
しかし、従来の消臭機能付きエレベータかごは、エレベータかご内の残り香（特に、不快感を伴う悪臭）の有無に関わらず、定期的に消臭、芳香処理を行うため、エレベータ利用者の乗り込みタイミングによっては、悪臭が残存するかごに乗り込んでしまうことがあり、消臭機能の本来の目的が十分に達成されない場合があるという問題がある。
【０００５】
また、定期的に消臭、芳香処理を行うため、エレベータの利用が無く、悪臭が存在しない場合にも無駄な消臭、芳香処理が行われ、ランニングコストの増加を招いてしまう。さらに、密閉されたかご内（利用がない場合、ドアが開放されることが無い）で、不必要な芳香処理が複数回行われ、逆にその芳香剤の香りが蓄積され強くなり過ぎ、その後、乗り込んで来た利用者に芳香剤の強い香りによる不快感を与えてしまうという問題が発生する。
【０００６】
本発明は上記問題点を解消するためになされたものであり、適切なタイミングで、適切な消臭を行うことのできる消臭機能付きエレベータ装置を提供することを目的とする。
【０００７】
【課題を解決するための手段】
上記目的を達成するために、本発明は、エレベータかご内部に配置され、かご内部の所定臭い成分が所定値以上に成ったことを検出する臭い検出センサと、前記かご内の所定臭い成分を消臭する消臭剤を放出する消臭手段と、前記臭い検出センサの臭い検出信号が入力され、かつエレベータ乗場呼出信号が入力された場合に、呼び出された目標階に到着するまでに消臭処理が完了するように、かごが現在位置から前記目標階までに要する移動時間に基づいて消臭剤の放出量を制御しながら前記消臭手段を動作させる制御手段と、を含むことを特徴とする。
【０００８】
ここで、臭い検出センサとは、例えば、半導体ガスセンサやバイオセンサ等の周知のセンサであり、検出する所定臭い成分とは、予め設定された成分で、１種類でも複数種類でもよい。また、消臭手段とは、例えばフィトンチッド（気化した植物精油）やイオン、オゾン、バイオ物質等の力で臭い成分の中和を行う周知の消臭手段である。なお、消臭剤が複数の臭いに対して消臭効果を有するものであれば、予め設定された成分のうちいずれか１種類でもその成分が所定値以上になったら消臭手段が動作を開始する。
【０００９】
この構成によれば、所定臭い成分が所定値以上に成った場合、すなわち、かご内に残り香（特に不快感を伴う悪臭）が存在し、かつエレベータかごが呼び出され、利用者が乗り込もうとする前に、消臭処理が行われるので、乗り込んで来た利用者に前回利用者等の残り香による不快感を与えてしまうことを確実に防止することができる。また、消臭が必要な時以外は消臭処理を行わないので、ランニングコストの低減を行うことができる。
【００１２】
上記目的を達成するために、本発明は、上記構成において、前記消臭手段は、かご内部に消臭剤を拡散させる拡散手段を有することを特徴とする。
【００１３】
ここで、拡散手段とは、例えば放出された消臭剤の方向を二次的にコントロールするフィンや誘導板でもよし、放出方向を直接コントロールするノズルコントロール装置でもよい。
【００１４】
この構成によれば、短時間に消臭剤をかご内部に拡散し、迅速な消臭を行うことができる。
【００１５】
上記目的を達成するために、本発明は、上記構成において、前記消臭手段は、所定臭い成分の濃度に基づいて消臭剤放出量を変化させる調整手段を有することを特徴とする。
【００１６】
この構成によれば、かご内の残り香（悪臭）の度合に応じた消臭処理が効率よく行われ、適切な消臭処理により利用者に残り香による違和感を与えることなく、またランニングコストを増加させることなく消臭処理を実行することができる。
【００１７】
上記目的を達成するために、本発明は、上記構成において、前記消臭手段は、さらに、芳香手段を含み、消臭後、かご内に芳香剤を放出することを特徴とする。
【００１８】
ここで、芳香手段は、例えば、森林浴効果のある香りや花の香り等微香性のものをかご内に放出する手段であり、あくまでも消臭効果を補うものである。
【００１９】
この構成によれば、消臭後のかごを利用者がリラックスできる空間にすることが可能であり、快適なエレベータかごを提供することができる。
【００２０】
【発明の実施の形態】
この発明の実施の形態について図１〜図３を参照して説明する。図１には、本実施の形態の消臭機能付きエレベータ装置１０の構成概念図が示されている。エレベータかご（以下、単にかごという）１２は、昇降路１４内を図示しない巻上機によりかご１２を吊る主ロープの繰り出し及び、巻き上げ動作により昇降自在であり、各階のかご呼び出しボタンや、かご内の行き先ボタンの指定する停止階に移動する。なお、このかご１２は、昇降路１４の頂部（例えば屋上）１４ａに配置された機械室の制御盤１６と移動ケーブル１８で接続され、前記かご呼び出しボタンや、行き先ボタンの指示が前記制御盤１６で処理され、適切な運行が行われるようになっている。
【００２１】
前記かご１２の天井２０（正確には、天井の上面側）には、消臭装置（消臭手段）２２が防振ゴム２４等を介して固定されている。この消臭装置２２は、上流側に配置された高性能フィルタ２６と、当該高性能フィルタ２６の下流側に接続された脱着自在で内部に消臭剤、例えば、フィトンチッド（気化した植物精油）やイオン、オゾン、バイオ物質等周知の消臭剤が封入されたカートリッジ２８と、当該カートリッジ２８の消臭剤をかご１２内に送り出すための送風機３０、カートリッジ２８と送風機３０との間に配置され、消臭剤の放出量を可変する調整手段としての消臭剤放出弁３２、送風機３０の出力や消臭剤放出弁３２の開閉度合を制御する放出制御部３４、送風機３０や消臭剤放出弁３２、放出制御部３４等に電力を供給する電源３６等を有している。なお、電源３６は、エレベータ装置１０全体に電力を供給する電源から電力の供給を受けられる場合には、省略してもよい。
【００２２】
また、かご１２の天井２０の一部、例えば、天井２０の一辺には、放出開口３８が形成され、その放出開口３８には、かご１２内部の換気を行うために空気を送り込む送風機４０が接続されている。この送風機４０の吸気口には、消臭装置２２の送風機３０に接続された消臭剤供給管４２が接続され、送風機４０を介して放出開口３８からかご１２内に向けて消臭剤を放出できるようになっている。また、天井２０の他の一辺、望ましくは、前記放出開口３８の形成された辺と対向位置の辺に吸気口４４が形成され、かご１２内の空気を適宜吸い出している。この吸気口４４には、吸気管４６が接続され、その他端は、消臭装置２２の高性能フィルタ２６に接続されている。
【００２３】
さらに、天井２０のかご１２内部側には、臭い検出センサ４８が配置されている。この臭い検出センサ４８は、所定臭い成分が所定値以上に成ったことを検出するセンサであり、半導体ガスセンサやバイオセンサ等周知の臭い検出センサが使用可能で、予め設定された臭い成分（１種類でも複数種類でもよい）の量（濃度）を検出する。なお、消臭剤が複数の臭いに対して消臭効果を有するものであれば、予め設定された臭い成分のうちいずれか１種類でもその量（濃度）が所定値以上になったら検出信号を出力する。なお、前記消臭装置２２、送風機４０等の制御は、移動ケーブル１８を介して制御盤１６に設けられた消臭制御装置（制御手段）５０において、他の制御信号、具体的にはかご１２の呼び出し信号と臭い検出センサ４８の検出信号とに基づいて行われる。
【００２４】
図２には、図１の放出開口３８の周辺の詳細図が示されている。放出開口３８には、消臭剤の拡散手段として機能する拡散装置５２が接続されている。この拡散装置５２は、例えば、配置角度が任意に調整できる複数の拡散板５２ａで構成されている。この拡散板５２ａは、各拡散板５２ａを相互に接続する調整アーム５２ｂをスライド移動させることにより拡散板５２ａの配置角度が任意に調整し、二次的に消臭剤の拡散方向を制御できるようになっている。従って、拡散板５２ａの角度を適宜調整することにより、消臭剤供給管４２から放出された消臭剤をかご１２の所定領域、望ましくは、かご１２内部の全域をカバーできる領域に拡散することができる。なお、この拡散装置５２は送風機４０から換気のために送り出される風もかご１２内部に拡散させる機能も有している。図２においては、構成を分かり易くするために消臭剤供給管４２や送風機４０の放出口と拡散装置５２とを結ぶダクト等を省略しているが、実際は、消臭剤供給管４２や送風機４０からの風や消臭剤が効率よく拡散装置５２に導かれるようになっている。
【００２５】
図３には、上述した消臭機能付きエレベータ装置１０の消臭制御手順を説明するフローチャートが示されている。
【００２６】
なお、通常、エレベータ装置１０の制御盤１６は、かご１２の運行時、かご１２内部の換気及び空気滞留によるかご１２内部の温度上昇を防止するため、送風機４０を付勢することにより、かご１２内部の空気を吸気口４４から吸気し、吸気管４６、高性能フィルタ２６、消臭剤供給管４２を介し、放出開口３８から換気風を放出している。ただし、この時は、消臭剤放出弁３２が閉動作し、消臭剤が消臭剤供給管４２に供給されないようになっており、消臭剤供給管４２は換気風のみが通過する。この換気動作は、例えば夏季は運転時常時行われ、冬季は、停止または後述する消臭処理と共に動作する等任意に設定可能である。
【００２７】
エレベータ装置１０の運行可能状態において、消臭制御装置５０は、臭い検出センサ４８により、かご１２内部の所定臭い成分が所定値以上に成ったか否か、つまり、かご１２の利用により他人に不快感を与える残り香が存在する結果、臭い検出センサ４８が動作し、検出信号を出したか否かを常時監視している（Ｓ１００）。そして、消臭制御装置５０は、臭い検出センサ４８が検出信号を出力した場合、次に、かご１２がエレベータ乗り場からの呼び出しが行われているか否か、つまり、新たな利用者がかご１２に乗り込もうとしているか否かを判断する（Ｓ１０１）。
【００２８】
もし、かご１２の乗り場呼出が行われた場合、消臭制御装置５０は消臭装置２２の動作を開始させる（Ｓ１０２）。すなわち、消臭制御装置５０は、消臭装置２２の送風機３０の動作を開始させると共に、消臭剤放出弁３２を所定量開動作させる。その結果、送風機３０の付勢により、かご１２内部の空気が吸気口４４から吸気され、吸気管４６、高性能フィルタ２６、消臭剤供給管４２を介し、放出開口３８から放出される。この時、放出される空気には、カートリッジ２８から放出された消臭剤が混入しているため、送風機３０の付勢によりかご１２内に消臭剤が散布される。また、夏季等、体臭等が多いと予想される場合は、送風機４０の併用も行い、消臭剤が混入した空気の循環を急速に行うことも可能であり、迅速な消臭を実施することができる。さらに、臭い検出センサ４８により検出される臭い成分の濃度に応じて、消臭制御装置５０は、消臭剤放出弁３２の開閉制御を行い、消臭能力の調整を行ってもよい。
【００２９】
消臭制御装置５０は、（Ｓ１０２）における消臭装置２２の動作中も臭い検出センサ４８の動作を監視し、かご１２内の所定臭い成分の量が所定値以下、つまり、かご１２内部の空気が、一般的な人間が違和感を感じない状態になったか否かを検出し、臭い成分の量が所定値以下になるまで、消臭装置２２の動作を継続する（Ｓ１０３）。そして、臭い成分の量が所定値以下になった場合には、消臭装置２２を停止する（Ｓ１０４）。
【００３０】
なお、この消臭処理は、かご１２の呼び出しが行われ、かご１２が呼び出された目標階に到着するまでに完了することが好ましい。通常、エレベータ装置１０の制御盤１６は、かご１２が現在位置から呼び出された位置までに要する移動時間を認識することが可能なので、消臭制御装置５０は、前記移動時間内で消臭処理が完了するように消臭剤の放出量、すなわち、消臭剤放出弁３２の開放量や送風機３０，４０の出力を制御することが望ましい。
【００３１】
また、かご１２は、利用終了後、つまり利用者が降りた後、その場でドアを閉めて待機状態に入ることがある。例えば、１階で利用者が降り、その場で待機状態になる場合がある。このような場合、１階で他の利用者がかご１２に乗り込みを希望した場合、かご１２は移動することなく、直ちにかごドアを開ける必要がある。図３の場合、消臭処理はかご１２の移動時間を利用して行っているので、上記に場合、消臭処理の時間が確保できない。そこで、消臭制御装置５０は、臭い検出センサ４８の臭い検出信号が入力され、かつエレベータ乗場呼出信号が所定時間入力されない場合、すなわち、かご１２が休止状態に移行した時も前記消臭装置２２を動作させるようにすることが望ましい。この場合、消臭制御装置５０がかご１２の休止を認識した時点で消臭処理が行われるので、かご１２の停止待機階と、呼び出し階が一致する場合でも良好な消臭処理を行うことができる。この場合、停止待機階と、呼び出し階が接近し、かご１２は移動するものの十分な消臭処理時間を確保できない場合も良好な消臭処理を行うことができる。なお、かご１２の休止後に消臭処理を行う場合、次回、別の階からかご呼び出しがあった場合、基本的に、臭い検出センサが反応する臭いは消臭されているので、消臭処理は行われない。
【００３２】
上述した実施の形態においては、かご１２内の消臭を行う例を示したが、消臭後、かご１２内に芳香剤の放出を行う芳香手段を設け、芳香を行ってもよい。この芳香剤は、例えば、森林浴効果のある香りや花の香り等微香性のものであり、あくまでも消臭効果を補うものが好ましい。この芳香剤も送風機３０や送風機４０により放出開口３８からかご１２内部に供給される。消臭後に芳香剤を供給することにより、かご１２に乗り込んできた利用者に対して、リラックスした空間を提供することが可能であり、快適なエレベータかごを提供することができる。なお、芳香剤を併用する場合、消臭処理の後に行われる芳香剤の放出は、利用者が乗り込む前に１回のみ行われるので、必要以上に芳香剤の放出が行われることがなく、芳香剤のかご１２内部での蓄積による強い香りに基づく違和感を防止することができる。
【００３３】
なお、本実施の形態においては、臭い検出センサ４８をかご１２内部の天井位置に取り付ける例を説明したが、かご１２内部の臭い成分の検出が可能であれば、その取り付け位置は任意であり、かご１２内部の側壁等でも本実施の形態と同様な効果を得ることができる。また、本実施の形態の場合、拡散手段として、拡散板５２ａを用いる例を示したが、消臭剤の方向をコントロールできるものであれば任意であり、消臭剤の方向を二次的にコントロールするフィンや誘導板でもよいし、消臭剤の放出ノズルを直接コントロールして拡散方向を制御するノズルコントロール装置であってもよい。
【００３４】
【発明の効果】
本発明によれば、所定臭い成分が所定値以上に成った場合、すなわち、かご内に残り香が存在し、かつエレベータかごが呼び出され、利用者が乗り込もうとする前に、消臭処理が行われるので、乗り込んで来た利用者に前回利用者等の残り香による不快感を与えることを確実に防止することができる。また、消臭が必要な時以外は消臭処理を行わないので、ランニングコストの低減を行うことができる。
【００３５】
また、かご内に残り香が存在し、かつエレベータ乗場呼出信号が所定時間入力されない場合、すなわち、かごの利用終了後消臭処理を行うようにすることにより、かごが待機していた階でかご呼び出しが行われ、直ちにかごのドアを開ける場合でもかご内に臭いが残っているという不都合を解消することができる。
【図面の簡単な説明】
【図１】  本発明の実施の形態に係るエレベータ装置の構成を説明する概念図である。
【図２】  本発明の実施の形態に係るエレベータ装置の構成を説明する概念図であり、かごの天井に配置される放出開口の周辺を説明する詳細図である。
【図３】  本発明の実施の形態に係るエレベータ装置の消臭処理手順を説明するフローチャートである。
【図４】  従来の消臭機能付きエレベータの構成を説明する構成概念図である。
【符号の説明】
１０  エレベータ装置、１２  かご、１４  昇降路、１６  制御盤、１８  移動ケーブル、２０  天井、２２  消臭装置、２４  防振ゴム、２６  高性能フィルタ、２８  カートリッジ、３０，４０  送風機、３２  消臭剤放出弁、３４  放出制御部、３６  電源、３８  放出開口、４２  消臭剤供給管、４４  吸気口、４６  吸気管、４８  臭い検出センサ、５０  消臭制御装置。
【図１】
0004109826.tif 000002
【図２】
0004109826.tif 000003
【図３】
0004109826.tif 000004
【図４】
0004109826.tif 000005